(57)【要約】    【課題】  手首や足首などに巻き止めた後に生じた余分な部分を切除する際、切り過ぎや切除不足を解消できるリストバンドおよびリストバンドの使用方法を提供することを目的とする。【解決手段】  表面に、少なくとも管理に必要なデータが表示可能な表示部５と、表示部の一端部に連続して伸延されるとともに、セット穴８が形成されたバンド止め部６と、表示部の他端部に連続して伸延されるとともにバンド穴９が形成され、かつ、バンド穴の近傍に各穴位置を示す穴位置ＩＤ１０が表示されたバンド７部と、を備えたことを特徴とする。【選択図】        図１
2008081850.tif 000002
【特許請求の範囲】
【請求項１】
表面に、少なくとも管理に必要なデータが表示可能な表示部と、
この表示部の一端部に連続して伸延されるとともに、セット穴が形成されたバンド止め部と、
前記表示部の他端部に連続して伸延されるとともにバンド穴が形成され、かつ、前記バンド穴の近傍に各穴位置を示す穴位置ＩＤが表示されたバンド部と、
を備えたことを特徴とするリストバンド。
【請求項２】
前記穴位置ＩＤは、前記表示部から先端部に向かい昇順に付された数字、またはアルファベットによりプレ印字されていることを特徴とする請求項１に記載のリストバンド。
【請求項３】
表面に、少なくとも管理に必要なデータが表示可能な表示部と、
この表示部の一端部に連続して伸延されるとともに、セット穴が形成されたバンド止め部と、
前記表示部の他端部に連続して伸延されるとともにバンド穴が形成され、かつ、前記バンド穴の近傍に各穴位置を示す穴位置ＩＤが表示されたバンド部と、を備えたリストバンドを手首等に巻きつけるリストバンドの使用方法であって、
環状となるよう前記手首等に巻きつけ前記バンド止め部にバンド部を重ねてセット穴とバンド穴の適宜位置を前記穴位置ＩＤにより認識して記憶するとともに、一旦手首等より遠ざけ、先に認識した穴位置ＩＤの次のバンド穴にて切断し、かつ、前記重ねたセット穴とバンド穴の適宜位置を選択して係止具にて止めることを特徴とするリストバンドの使用方法。
【発明の詳細な説明】
【技術分野】
【０００１】
本発明は、特に、病院で患者の手首や足首などに環状に巻き付けて使用されるリストバンドおよびリストバンドの使用方法に関する。
【背景技術】
【０００２】
近年、病院では患者の取り違えミスを防止するために、患者の名前や年齢、血液型といった管理に必要な患者固有の識別データを表示したリストバンドを患者の手首や足首に取り付けることが行われている。
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止めるようになっている（例えば、特許文献１参照）。
ところで、リストバンドは、両端に形成された穴にクリップのボスを通して止めるだけの構成のため、大人から新生児、また、手首や足首などの巻き止め条件がさまざまであり、どのような条件にも対応可能なように余裕のある長さに作製されており、クリップで巻き止めた後に生じた余分なリストバンドは邪魔であることから鋏などの切断用具で切除する。この余分なリストバンドの余分な部分を切除する際、特に、動きの予測がつかない新生児などに巻き止めるような場合は鋏などの切断用具を使用することによる危険が伴うため、リストバンドを足または手首等に巻きつけ、手首等の太さに合わせリストバンドの穴とクリップのボスとを最適な位置にて係合した上で一旦外してからリストバンドの余分な部分を切除していた。
【０００３】
しかしながら、切断用具を使って切断する際の危険を回避するためリストバンドを手首等から外して余分な部分を切除しており、リストバンドの切除ミスが発生することがあった。すなわち、指先などでリストバンドの切断位置を押さえながらリストバンドとクリップとの係合を外すため、指先で押さえた切断位置が外す作業時にずれることがあり、余分に切り過ぎて止められなくなりリストバンドを無駄にしたり、あるいは、リストバンドが切り足りない状態にあることに装着（クリップ止め）時に気づき、リストバンドを外して再度切断用具で余分な部分を切除するなど作業が煩わしくなるという問題があった。
【特許文献１】特開２００５−１３３２６５号公報
【発明の開示】
【発明が解決しようとする課題】
【０００４】
本発明は、上記の問題点に着目して成されたものであり、手首や足首などに巻き止めた後に生じた余分な部分を切除する際、切り過ぎや切除不足を解消できるリストバンドおよびリストバンドの使用方法を提供することを目的とする。
【課題を解決するための手段】
【０００５】
上記の目的を達成するため、本発明に係るリストバンドは、表面に、少なくとも管理に必要なデータが表示可能な表示部と、この表示部の一端部に連続して伸延されるとともに、セット穴が形成されたバンド止め部と、前記表示部の他端部に連続して伸延されるとともにバンド穴が形成され、かつ、前記バンド穴の近傍に各穴位置を示す穴位置ＩＤが表示されたバンド部と、を備えたことを特徴とする。
また、穴位置ＩＤは、表示部から先端部に向かい昇順に付された数字、またはアルファベットによりプレ印字されるようにできる。
さらに、第２の発明に係るリストバンドの使用方法は、表面に、少なくとも管理に必要なデータが表示可能な表示部と、この表示部の一端部に連続して伸延されるとともに、セット穴が形成されたバンド止め部と、前記表示部の他端部に連続して伸延されるとともにバンド穴が形成され、かつ、前記バンド穴の近傍に各穴位置を示す穴位置ＩＤが表示されたバンド部と、を備えたリストバンドを手首等に巻きつけるリストバンドの使用方法であって、環状となるよう前記手首等に巻きつけ前記バンド止め部にバンド部を重ねてセット穴とバンド穴の適宜位置を前記穴位置ＩＤにより認識して記憶するとともに、一旦手首等より遠ざけ、先に認識した穴位置ＩＤの次のバンド穴にて切断し、かつ、前記重ねたセット穴とバンド穴の適宜位置を選択して係止具にて止めることを特徴とする。
【発明の効果】
【０００６】
第１の発明に係るリストバンドは、管理に必要なデータが表示可能な表示部と、セット穴が形成されたバンド止め部と、バンド穴の近傍に各穴位置を示す穴位置ＩＤが表示されたバンド部とを備えるようにしたので、患者などの対象者の手首等に巻きつけてバンド部とバンド止め部とを重ね、手首の太さに合せた適宜位置のバンド部のバンド穴を選択した際，選択されたバンド穴の近傍に穴位置ＩＤが表示されているため、適宜位置のバンド穴の目安がつけ易いという効果がある。
また、穴位置ＩＤを、表示部から先端部に向かい昇順に付された数字、またはアルファベットによりプレ印字すれば、さらに切断位置の目安がつけ易くなる.
また、第２の発明に係るリストバンドの使用方法は、環状となるよう手首等に巻きつけバンド止め部にバンド部を重ねてセット穴とバンド穴の適宜位置を穴位置ＩＤにより認識して記憶するとともに、一端手首等より遠ざけ、先に認識した穴位置ＩＤの次のバンド穴にて切断し、かつ、重ねたセット穴とバンド穴の適宜位置を選択して係止具にて止めるようにし、対象者の手首等より外して一旦遠ざけるようにしたので、切断用具を使ったとしても対象者に対する危険が回避されるとともに、バンド穴の近傍に表示された穴位置ＩＤにより切断するバンド穴の目安がつけ易いため、切断位置を間違えにくく、以て切り過ぎや切除不足が解消されるという効果がある。
【発明を実施するための最良の形態】
【０００７】
以下、本発明の第１の実施の形態のリストバンドを図１および図２に基づき説明する。
【０００８】
図１は、本発明のリストバンドが形成されたリストバンド連続体４０を例示する概略説明図である。リストバンド連続体４０にはバンド本体１が長手方向に沿って連続的に形成されており、各バンド本体１間はミシン目などにより切断用の切離し部２が形成されている。
また、バンド本体１には、リストバンド３がミシン目などにより形成された切離し部４により切離し可能に型抜きされている。このリストバンド３は、管理に必要な各種情報を表示するための幅広に形成された表示部５を設けており、かつ、表示部５の一方にはバンド止め部６、他方にはバンド部７が形成され、長手方向に伸延された構成となっている。  
バンド止め部６は、バンド部７よりも短く形成されており、その先端部近傍に２つのセット穴８が形成され、一方、バンド部７は、バンド止め部６とほぼ同じ幅で形成されており、幅方向の中央部にバンド穴９、９、…が一定の間隔をもって形成されている。また、前記各バンド穴９の近傍には穴位置ＩＤ１０がプレ印刷されており、この穴位置ＩＤ１０は、本実施の形態では表示部５側から順に「１、２、・・・」と昇順の数字となっており、各バンド穴９の「位置（ポジション）」を表すものである。この穴位置ＩＤ１０については後述する。
前述のように、リストバンド３は、バンド本体１にミシン目などで形成された切離し部４により型抜きされているため、バンド本体１より容易に取り外すことができ、また、取り外して得たリストバンド３のバンド止め部６およびバンド部７の先端部は半月形状になっており、肌に触れたとしても傷がつきにくい形状となっている。さらに、バンド止め部６およびバンド部７は、表示部５の幅（図１における上下方向）よりも幅が狭く形成されている。
なお、本実施の形態のリストバンド３は、病院の患者用を例示しており、表示部５には、管理に必要な患者名１１、血液型１２、入院病棟１３、入院科１４、およびこれらの個人情報をコード化した二次元コード１５などの各種情報が印字されている。
【０００９】
次に、主に、図２に基づき、リストバンド３の使用状態を説明する。図２は、リストバンド３の仮装着状態を示す一部省略の拡大説明図である。
バンド本体１より型抜きしたリストバンド３は、例えば、「係止具」としてのクリップ３０にて係止する。
先ず、クリップ３０の説明をすると、クリップ３０は、楕円状のオスクリップ３１とメスクリップ３２とで構成されており、互いに連結部３３を介して一体成形されている。
オスクリップ３１は、端部（図２における下端部）中央部に矩形状の係止部３４が垂直に立設されており、この係止部３４は、先端部に係止爪３４Ａが形成されている。また、中央部位（端部と連結部３３との間の中央部）には２つの円形状の突起部３５が形成されている。
メスクリップ３２は、上端部に矩形状の係止穴３６が形成されており、その形状および大きさは前記オスクリップ３１に形成された係止部３４とほぼ同じとされている。また、中央部位（端部と連結部３３との間の中央部）には２つの嵌合穴３７が形成されている。
オスクリップ３１とメスクリップ３２とを連結する前記連結部３３は屈曲自在に形成されており、折り曲げた状態で前記オスクリップ３１の係止部３４、並びに突起部３５が、前記メスクリップ３２の係止穴３６、並びに嵌合穴３７に各々嵌合するようになっている。
【００１０】
リストバンド３を図示省略の患者の手首に仮に装着する。すなわち、手首の太さに合った最適な巻き止め位置に位置決めすべく、バンド止め部６のセット穴８にオスクリップ３１の突起部３５をバンド止め部６の裏面より挿入し、リストバンド３の表示部５が表から見える状態で手首（図示省略）に巻きつけ、手首の太さに合せてバンド部７のバンド穴９を選択し、オスクリップ３１の突起部３５に挿入・係合して仮装着する。このときバンド穴９の近傍にプレ印字されている穴位置ＩＤ１０（図示の例では、「１２」、「１３」）により選択されたバンド穴９が認識できるためこれを記憶するとともに、一旦突起部３５よりバンド穴９を外して係合を解きリストバンド３全体を患者（図示省略）より遠ざけて、図示省略の鋏などの切断用具にて切断する。切断にあたっては、先に記憶したバンド穴９の穴位置ＩＤ１０のうち、大きい方の数字（図示の例では、「１３」）に１を加えた位置（ポジション）の穴位置ＩＤ１０（図示の例では、「１４」）が付されたバンド穴９の中央部を幅方向に切断（切断位置Ｃを想像線にて図示）してバンド部７の余分な部分を切除する。その後、再びクリップ３１の突起部３５にバンド穴９を挿入し、連結部３３を屈曲させてメスクリップ３２に形成された嵌合穴３７を突起部３５に、さらに、係止部３４を係止穴３６に、各々嵌め込む。この際、係止部３４の係止爪３４Ａが弾性変形しながら係止穴３６に嵌め込まれ、オスクリップ３１とメスクリップ３２とが取り外し不能な状態で図示省略の患者の手首に一体化されて装着される。
【００１１】
上述したように、リストバンド３のバンド部７の仮装着時、バンド止め部６のセット穴８にオスクリップ３１の突起部３５を挿入し、バンド部７を患者の手首（図示省略）に巻きつけ、手首の太さに合せてバンド部７のバンド穴９を選択して突起部３５に挿入して仮装着したのち、危険回避のために一旦リストバンド３全体を患者の手首（図示省略）より外したとしても、手首の太さ合った最適な巻き止め位置がバンド穴９の近傍に表示された穴位置ＩＤ１０により認識できるので、余分なバンド部７を切除する場合において、切断位置を間違えにくいものである。
なお、本実施の形態においては、リストバンド３がバンド本体１に切離し部２にて型抜きして形成された例で説明したが、これに限定されないことは勿論である。
【００１２】
次に、主に、図３に基づき、他の実施の形態につき説明する。
なお、以下において、先の実施の形態と同様の部分は同一符号を付すに止め、詳説を省略する。
同図に示すように、リストバンド２１は、遊園地において「乗り物券」として使用した例を示すものであり、「バンド本体」はなく、リストバンド２１自体を単体で用いている。
リストバンド２１の表示部２２の一方にはバンド止め部６、他方にはバンド部７が形成され、長手方向に伸延された構成となっている。この表示部２２には、遊園地名（図示の例では、「●■遊園地」）２３、券の種類（図示の例では、「１日乗り物券」）２４、使用期限（図示の例では、「２００５年〇月△日」）２５、およびこれらの情報をコード化したバーコード２６などの各種情報が印字されている。
バンド部７には、バンド穴９の近傍に穴位置ＩＤ２７（図示の例では、「Ａ」、「Ｂ」・・・「  」）が、長手方向と交差する文字形態でプレ印字されている。
上記のリストバンド２１を装着するにあたり、バンド止め部６のセット穴８にオスクリップ３１の突起部３５を挿入し、バンド部７を入園者の手首（図示省略）に巻きつけ、手首の太さに合せてバンド部７のバンド穴９を選択し突起部３５に挿入して仮装着するとともに、選択した最適なバンド穴９の穴位置ＩＤ２７を記憶し、一旦入園者の手首（図示省略）よりリストバンド２１を外したのち、記憶した穴位置ＩＤ２７の次の穴位置ＩＤ２７が付されたバンド穴９の中央部で切断する。穴位置ＩＤ２７の文字形態がバンド部９の長手方向と交差する方向に印字されているので、余分なバンド部７を切除する場合において、切断位置が見やすいものである。
その他の構成、作用、効果については、先の実施の形態と略同様につき詳説を省略する。
【００１３】
なお、上記実施の形態の構成及び動作は例であって、本発明の趣旨を逸脱しない範囲で適宜変更することができることは言うまでもない。
【図面の簡単な説明】
【００１４】
【図１】本発明の一実施の形態によるリストバンドが形成されたバンド本体を表示部より見た概略説明図である。
【図２】同、リストバンドの使用状態を示す一部省略の拡大説明図である。
【図３】同、リストバンドの他の実施の形態を示す概略説明図である。
【符号の説明】
【００１５】
１    バンド本体
２    切離し部
３    リストバンド（第１の実施の形態）
４    切離し部
５    表示部
６    バンド止め部
７    バンド部
８    セット穴
９    バンド穴
１０  穴位置ＩＤ
１１  患者名
１２  血液型
１３  入院病棟
１４  入院科
１５  二次元コード
２１  リストバンド（他の実施の形態）
２２  表示部
２３  遊園地名
２４  券の種類
２５  使用期限
２６  バーコード
２７  スリット部
３０  クリップ（係止具）
３１  オスクリップ
３２  メスクリップ
３３  連結部
３４  係止部
３４Ａ  係止爪
３５  突起部
３６  係止穴
３７  嵌合穴
４０  リストバンド連続体
【図１】
2008081850.tif 000003
【図２】
2008081850.tif 000004
【図３】
2008081850.tif 000005